(57)【特許請求の範囲】
【請求項１】
キャップ本体の奥底部に軟弾性体からなるシール体が配置され、キャップを筆記具本体に装着したときにペン体がシール体に覆われてインキの蒸発が防止され、筆記具本体の嵌合部の外周面に環状の外向き係止突起が形成され、合成樹脂製キャップの嵌合筒部の内周面に内向き係止突起が形成され、該内向き係止突起が該外向き係止突起を乗り越えてキャップが嵌合される筆記具のキャップ嵌合構造において、
前記嵌合部筒はキャップ本体の中腹部に２重筒状態に一体に成形され、該内向き係止突起が該外向き係止突起を乗り越えてキャップ嵌合が完了した際に、該内向き係止突起は該筆記具本体の嵌合部に当接しないことを特徴とする筆記具のキャップ嵌合構造。
【発明の詳細な説明】
【０００１】
【発明の属する技術分野】
本発明は、合成樹脂で成形された筆記具のキャップ嵌合構造に関するものである。
【０００２】
【従来の技術】
筆記具本体に合成樹脂製のキャップを嵌合する構造は、筆記具本体の嵌合部の外周面に環状の外向き係止突起を形成し、キャップの嵌合筒部の内周面にも内向き係止突起を形成し、内向き係止突起が外向き係止突起を乗り越えることによってキャップが筆記具本体に嵌合されるものが多い。ここで、内向き係止突起が外向き係止突起を乗り越えるときのフィーリンクが重要であり、適度の押圧力で内向き係止突起が外向き係止突起を乗り越える必要があり、この押圧力は長期間使用しても変化しないことが要求される。
【０００３】
【発明が解決しようとする課題】
かかる筆記具のキャップ嵌合構造において、キャップの内向き係止突起が筆記具本体の外向き係止突起を乗り越えてキャップ嵌合が完了するときには、内向き係止突起は筆記具本体の嵌合部の外周面に当接するように設計されている。これは、例えばサインペンのように、キャップの嵌合部の気密性によりインキの蒸発を防止する必要がある筆記具の場合は、内向き係止突起を筆記具本体の嵌合部の外周面に当接させることにより気密性を向上させるためであり、キャップの嵌合部におけるインキの蒸発防止があまり必要のない筆記具の場合であっても、嵌合時のキャップの「がたつき」を少なくするために内向き係止突起を筆記具本体の嵌合部の外周面に当接させている。
【０００４】
しかし、合成樹脂製キャップの嵌合筒部に形成された内向き係止突起を筆記具本体の嵌合部の外周面に当接させると、キャップの嵌合筒部に常時応力がかかるが、キャップの嵌合筒部は合成樹脂の応力緩和現象により嵌合筒部の内径が徐々に拡大する。このため、キャップ嵌合時に要求される押圧力が徐々に少なくなり、長期間使用していると、キャップ嵌合のフィーリングが変化してしまう不具合がある。
【０００５】
そこで本発明は、長期間使用してもキャップ嵌合時のフィーリングが変化しない合成製樹脂製の筆記具のキャップ嵌合構造を提供することを目的とするものである。
【０００６】
【課題を解決するための手段】
かる目的を達成するために、本発明は、キャップ本体の奥底部に軟弾性体からなるシール体が配置され、キャップを筆記具本体に装着したときにペン体がシール体に覆われてインキの蒸発が防止され、筆記具本体の嵌合部の外周面に環状の外向き係止突起が形成され、合成樹脂製キャップの嵌合筒部の内周面に内向き係止突起が形成され、該内向き係止突起が該外向き係止突起を乗り越えてキャップが嵌合される筆記具のキャップ嵌合構造において、嵌合部筒をキャップ本体の中腹部に２重筒状態に一体に成形し、内向き係止突起が外向き係止突起を乗り越えてキャップ嵌合が完了した際に、内向き係止突起が筆記具本体の嵌合部に当接しないようにする。
【０００７】
【発明の実施の形態】
以下に、図面に基づいて本発明の実施の形態を具体的に説明する。図１はボールペンに本発明を適用した例を示す。図１において、軸筒１０の先端に先口１４が螺着されており、軸筒１０と先口１４などで筆記具本体を構成している。軸筒１０の筆記時に指先が当接する部分には軟弾性体からなるグリップ１３が嵌め込まれている。軸筒１０内にはボールペンレフィール（図示せず）が内蔵されており、ボールペンレフィール先端のボールペン体１５が先口１４の先端開口から突出している。
【０００８】
合成樹脂、例えばポリカーボネートで略円筒状に成形されたキャップ本体２０の内部中腹に嵌合筒部２１が２重筒状態に一体に成形されている。クリップ２６が一体になった頭冠２５がキャップ本体２０の尾端開口に嵌着され、キャップ本体２０と頭冠２５でキャップを構成している。キャップ本体２０の奥底部には、軟弾性体からなる球状のシール体２７が配置されており、キャップを筆記具本体に嵌着したときにボールペン体１５がシール体２７で覆われてインキの蒸発を防止するようになっている。
【０００９】
軸筒１０の先端部はやや小径の嵌合部１１であり、図２に示すように、この嵌合部１１の外周面には、円環状であって、表面形状が円弧状の外向き係止突起１２が形成されている。したがって、嵌合部１１は外向き係止突起１２によって先端側の嵌合部１１と尾端側の嵌合部１１に分割された状態になっている。一方、キャップ本体２０の嵌合筒部２１の内周面には、同じく円環状であって、表面形状が緩やかな円弧状をした内向き係止突起２２が形成されている。
【００１０】
しかして、筆記具本体をキャップ本体２０内に差し込むと、内向き係止突起２２が外向き係止突起１２を乗り越えて内向き係止突起２２と外向き係止突起１２が係合し、嵌合筒部２１の先端２１ａが軸筒１０の段部１０ａに当接してキャップ嵌合が完了する。このとき、内向き係止突起２２は軸筒１０の嵌合部１１には当接していない。従って、嵌合筒部２１を外側に押し広げる応力が小さく、長期間使用しても、嵌合筒部２１を構成する合成樹脂の応力緩和現象が生じにくく、嵌合筒部２１の内径が拡大することがほとんどない。このため、長期間使用しても、一定の押圧力でキャップ嵌合が可能であり、キャップ嵌合時のフィーリングが変化しない。
このよう本発明は、内向き係止突起２２は軸筒１０の嵌合部１１には当接していないので、キャップの嵌合部における気密性は幾分劣るが、先端シール式のボールペンのように、キャップの嵌合部におけるインキの蒸発防止があまり必要のない筆記具に好適である。
【００１１】
【発明の効果】
以上説明したように、本発明は、キャップ本体の奥底部に軟弾性体からなるシール体が配置され、キャップを筆記具本体に装着したときにペン体がシール体に覆われてインキの蒸発が防止され、筆記具本体の嵌合部の外周面に環状の外向き係止突起が形成され、合成樹脂製キャップの嵌合筒部の内周面に内向き係止突起が形成され、内向き係止突起が該外向き係止突起を乗り越えてキャップが嵌合される筆記具のキャップ嵌合構造において、嵌合部筒をキャップ本体の中腹部に２重筒状態に一体に成形し、内向き係止突起が外向き係止突起を乗り越えてキャップ嵌合が完了した際に、内向き係止突起が筆記具本体の嵌合部に当接しないので、長期間使用してもキャップ嵌合時のフィーリングが変化しない合成樹脂製の筆記具のキャップ嵌合構造とすることができる。
【図面の簡単な説明】
【図１】本発明実施例の説明図である。
【図２】図１Ａ部の拡大図である。
【符号の説明】
１０    軸筒
１１    嵌合部
１２    外向き係止突起
１３    グリップ
１４    口金
１５    ボールペン体
２０    キャップ本体
２１    係合筒部
２２    内向き係止突起
２５    頭冠
２６    クリップ
２７    シール体
【図１】
0003859992.tif 000002
【図２】
0003859992.tif 000003